(57)【要約】      （修正有）【課題】情報端末を冷蔵庫に簡単に取り付けることができるホルダを提供する。【解決手段】冷蔵庫の引き出し式扉８の前面の横方向に設けられた取っ手９に係合する取り付け部１４と、取り付け部１４と連結し、かつ、平板状の情報端末１００を保持する保持部１５とを有する。【選択図】図５
2016166689.tif 000002
【特許請求の範囲】
【請求項１】
冷蔵庫の引き出し式扉の前面の横方向に設けられた取っ手に取り付けられる取り付け部と、
前記取り付け部と連結され、かつ、平板状の情報端末を保持する保持部と、
を有するホルダ。
【請求項２】
前記取り付け部は、前記取っ手の横方向の溝を挟み込む挟持部を有する、
請求項１に記載のホルダ。
【請求項３】
前記取り付け部は、平らな面に載置するためのスタンドを有する、
請求項１又は２に記載のホルダ。
【請求項４】
前記取り付け部は、第１取り付け部と第２取り付け部とよりなると共に、前記第１取り付け部と前記第２取り付け部とがヒンジによって接続されて、前記第２取り付け部が前記第１取り付け部に対し前後方向に回転自在であり、
前記第１取り付け部が、前記取っ手に取り付けられ、
前記第２取り付け部が、前記保持部に連結されている、
請求項１乃至３のいずれか一項に記載のホルダ。
【請求項５】
前記保持部が、前記取り付け部と回転部材によって連結されて、前記取り付け部に対し縦横方向に回転可能である、
請求項１乃至４のいずれか一項に記載のホルダ。
【請求項６】
前記保持部は、前記情報端末を載置するための保持板を有する、
請求項１に記載のホルダ。
【請求項７】
前記保持板は、前記情報端末の大きさに対応して縦方向、又は、横方向に伸縮自在である、
請求項６に記載のホルダ。
【請求項８】
前記保持板の下端部に沿って前記情報端末を支持するための支持片が突出し、
前記支持片に水抜き孔が貫通している、
請求項６又は７に記載のホルダ。
【請求項９】
前記保持板の前面には、前記情報端末の滑り止め部材が設けられている、
請求項６乃至８のいずれか一項に記載のホルダ。
【請求項１０】
前記保持部は、前記情報端末の４つの角部をそれぞれ把持する４つの把持部を有する、
請求項１に記載のホルダ。
【請求項１１】
上下の２つの前記把持部の縦方向の間隔、又は、左右の２つの前記把持部の横方向の間隔が伸縮自在である、
請求項１０に記載のホルダ。
【請求項１２】
前記情報端末に電源を供給するための充電池を有する、
請求項１に記載のホルダ。
【請求項１３】
請求項１記載のホルダが、引き出し式扉の前面にある横方向の取っ手に取り付けられている、
冷蔵庫。
【請求項１４】
前記ホルダのサイズが、前記冷蔵庫の前記引き出し式扉の中で最も小さい扉より小さい、
請求項１３に記載の冷蔵庫。
【請求項１５】
前記引き出し式扉の前記取っ手から突起が突出し、
前記取り付け部が、前記突起と係合する、
請求項１３又は１４に記載の冷蔵庫。
【発明の詳細な説明】
【技術分野】
【０００１】
本発明の実施形態は、ホルダ及び冷蔵庫に関するものである。
【背景技術】
【０００２】
スマートフォン、タブレット端末などの情報端末の普及により、ユーザがウエブサイトの料理レシピを閲覧する機会が増えている。また、ユーザが、情報端末に搭載されたカメラを用いて、食材の画像やバーコードなどを読み取る機会も増えている。
【０００３】
ユーザが料理をするときはキッチンで行うが、キッチンには情報端末を置くスペースが少なく、その情報端末の画面を見辛い状況で使用しなければいけない。
【０００４】
そのため、従来、冷蔵庫の前面に情報端末を取り付けて情報を取得する方法が提案されている。
【先行技術文献】
【特許文献】
【０００５】
【特許文献１】特開２０１３−２３８３５７号公報
【特許文献２】特許第４４７７３８４号公報
【発明の概要】
【発明が解決しようとする課題】
【０００６】
上記のように冷蔵庫に情報端末を取り付ける場合に、その取り付け構造が複雑であり、情報端末を冷蔵庫に取り付け難いという問題点があった。
【０００７】
そこで、本発明の実施形態は上記問題点に鑑み、情報端末を冷蔵庫に簡単に取り付けることができるホルダ及びそのホルダを取り付けた冷蔵庫を提供することを目的とする。
【課題を解決するための手段】
【０００８】
本発明の実施形態は、冷蔵庫の引き出し式扉の前面の横方向に設けられた取っ手に取り付けられる取り付け部と、前記取り付け部と連結され、かつ、平板状の情報端末を保持する保持部と、を有するホルダである。
【図面の簡単な説明】
【０００９】
【図１】実施形態１の冷蔵庫にホルダを取り付けた状態の正面図。
【図２】ホルダの後面から見た斜視図。
【図３】ホルダの背面図。
【図４】ホルダの正面図。
【図５】ホルダを扉に取り付けた状態の縦断面図。
【図６】保持板を扉に取り付けた状態で前後方向に傾斜させた縦断面図。
【図７】ホルダをキッチン台に置いた状態の側面図。
【図８】実施形態２のホルダの正面図。
【図９】実施形態２のホルダを扉に取り付けた状態の縦断面図。
【図１０】実施形態３の冷蔵庫の正面図。
【図１１】実施形態３のホルダを扉に取り付けた状態の縦断面図。
【図１２】実施形態４のホルダの背面図。
【図１３】実施形態５のホルダの正面図であって、４つの把持部を最も伸ばした状態の正面図。
【図１４】実施形態５のホルダの正面図であって、４つの把持部を最も縮小した状態の正面図。
【発明を実施するための形態】
【００１０】
以下、本発明の実施形態の冷蔵庫１とそれに取り付けるホルダ１０について図面に基づいて説明する。ホルダ１０は、平板状の情報端末１００を保持するものであり、平板状の「情報端末」とは、スマートフォン、携帯電話、タブレット端末、液晶テレビなどのように、液晶表示装置や有機ＥＬ装置などの平面表示装置を備えた情報端末を意味する。
【実施形態１】
【００１１】
実施形態１の冷蔵庫１とホルダ１０について図１〜図７に基づいて説明する。
【００１２】
（１）冷蔵庫１の構造
冷蔵庫１の構造について図１に基づいて説明する。冷蔵庫１は、図１に示すように前面が開口したキャビネット２に上段から冷蔵室３、野菜室４、製氷室５、冷凍室６が設けられ、製氷室５の右側に小型の冷凍室７が設けられている。冷蔵室３の前面には、観音扉式扉３ａ，３ｂが設けられ、野菜室４の前面には引き出し式扉８が設けられ、製氷室５、冷凍室６、小型の冷凍室７の前面にも、それぞれ引き出し式扉５ａ，６ａ，７ａが設けられている。
【００１３】
野菜室４の引き出し式扉８の前面には、その上端部に沿ってユーザが手を掛けるための取っ手９が設けられている。この取っ手９は、図５に示すように、引き出し式扉８の上端部の前部に段部１１が形成され、この段部１１の水平面に沿って手を入れるための溝１２が横方向に設けられている。この溝１２の前部には、溝１２を形成するための立設部１３が形成されている。すなわち、この段部１１、溝１２、立設部１３により、野菜室４の引き出し式扉８の上端部に横方向の取っ手９が形成される。この取っ手９にホルダ１０が取り付けられる。
【００１４】
（２）ホルダ１０の構造
次に、ホルダ１０の構造について図２〜図７に基づいて説明する。
【００１５】
ホルダ１０は、図２と図３に示すように、取り付け部１４と保持部１５とを有し、保持部１５に平板状の情報端末１００が保持される。
【００１６】
保持部１５は、図４に示すように情報端末１００とほぼ同じサイズの長方形の保持板１６を有し、この保持板１６の表面（前面）が情報端末１００の載置面である。保持板１６の下端部には情報端末１００を支持するための下支持片１７が横方向に沿って設けられ、保持板１６の上端部には横方向に沿って上支持片１８が突出している。図３に示すように、保持板１６の後面（裏面）には、回転部材１９を介して取り付け部１４が取り付けられている。回転部材１９は、取り付け部１４に対し保持板１６を図４に示すように縦方向又は横方向に３６０°回転させることができる。
【００１７】
図２と図４に示すように、保持板１６の下端部に沿って設けられた下支持片１７の片側には、水抜き孔２８が貫通している。また、図４に示すように、保持板１６の前面、すなわち情報端末１００の載置面には、テープ状のゴムよりなる滑り止め部材２９が設けられている。
【００１８】
保持板１６のサイズは、冷蔵庫１の扉の中で最も小さい製氷室５の引き出し式扉５ｂよりも小さいサイズに形成されている。
【００１９】
取り付け部１４は、図２と図３に示すように、第１取り付け部２０と第２取り付け部２１とを有している。図５に示すように、第１取り付け部２０は、引き出し式扉８の横方向の取っ手９に取り付けられる部分であって、ほぼ直方体を成し、下部には取っ手９の立設部１３を前後方向に挟むための挟持部２２が横方向に沿って設けられている。挟持部２２の後面には、挟持部２２を取っ手９の溝１２に確実に嵌め込むための膨出部２３が設けられ、この膨出部２３の下面は溝１２の下面に沿った断面曲面状に形成されている。図２、図３、図５に示すように、第１取り付け部２０の上面が平らなとなっているため、図７に示すように、ホルダ１０の上下を反対にすると、第１取り付け部２０はスタンドとなって平らな面に載置できる。第１取り付け部２０の前下部にはコの字状の凹み部２４が設けられている。
【００２０】
第２取り付け部２１は、第２取り付け部本体２５と突出部２６からなり、直方体状の第２取り付け部本体２５の前面には回転部材１９に取り付けられ、この第２取り付け部本体２５の上面からは突出部２６が突出している。突出部２６は、第１取り付け部２０の凹み部２４よりも若干小さく、横方向のヒンジ２７，２７によって凹み部２４と回転自在に接続されている。
【００２１】
（３）ホルダ１０の使用方法
ホルダ１０の使用方法について説明する。ユーザは、ホルダ１０の取り付け部１４を図２と図３に示すように上にして、第１取り付け部２０の挟持部２２を立設部１３を挟むようにして取り付ける。このように取り付けると溝１２の前後方向に膨出部２３が嵌まり込み、ホルダ１０がずれない。
【００２２】
次に、ユーザは保持板１６に情報端末１００を載置しつつ下支持片１７に情報端末１００を載せ、また、情報端末１００の上部を上支持片１８によって固定する。これによって、図１に示すように、ユーザは、引き出し式扉８の前面にホルダ１０と情報端末１００を簡単に取り付けることができる。
【００２３】
次に、第１取り付け部２０と第２取り付け部２１がヒンジ２７，２７によって接続されているため、ユーザは保持部１６はヒンジ２７を中心に前後方向に回転させ、図５の垂直状態から図６の傾斜状態に変化させ、情報端末１００の角度をユーザの好みの角度に変更する。
【００２４】
次に、ホルダ１０を、図７に示すように、キッチン台、テーブル、床などの平らな面に載置する場合には、ユーザは取り付け部１４の第１取り付け部２０を下にして第１取り付け部２０をスタンドにして平らな面に載置する。
【００２５】
（４）効果
本実施形態のホルダ１０であると、第１取り付け部２０を引き出し式扉８の取っ手９に取り付け、このホルダ１０に情報端末１００を取り付けるだけで、情報端末１００を冷蔵庫１の前面に簡単に取り付けることができる。
【００２６】
また、ホルダ１０は、引き出し式扉８の前面に取り付けるため、扉開状態でも利用できる。すなわち、従来からある観音式扉３ａ，３ｂの前面に情報端末１００を設置する構造であると、扉開時に情報端末１００の画面が見えなくなる。レシピを閲覧する用途のみであれば、情報端末１００は扉開時の使用のみで問題はないが、冷蔵庫１に出し入れする食材又はバーコードをカメラで撮影する場合には、扉開状態でもユーザが情報端末１００を使用できる必要があり、本実施形態のホルダ１０であると扉開状態でも使用できる。
【００２７】
また、第１取り付け部２０の挟持部２２が取っ手９の立設部１３を挟み、溝１２に膨出部２３が嵌まり込むため、ホルダ１０が情報端末１００を保持しても、がたつかない。
【００２８】
また、ヒンジ２７，２７で保持板１６の角度を前後方向に変えることができるため、図６に示すようにユーザの好みの角度に情報端末１００を設置できる。特にユーザの身長により目線の高さが異なっていても、その角度の調整によりユーザの見易い角度に設定できる。
【００２９】
また、第２取り付け部２１に対し保持板１６が回転部材１９によって回転自在であるため、情報端末１００の縦横方向を図４に示すように自由に変えることができる。すなわち、ウエブの閲覧、又は、アプリケーションによっては、情報端末１００が縦置きで閲覧と操作し易い場合と、横置きで閲覧と操作がし易い場合がある。どちらの場合であっても保持板１６を縦横方向に回転させることにより、好みの角度で情報端末１００を閲覧と操作ができる。
【００３０】
また、保持板１６の前面には滑り止め部材２９が設けられているため、保持板１６を前後方向に傾斜させても、また、縦横方向に回転させても情報端末１００が保持板１６に対し滑り難く、外れない。さらに、ホルダ１０を取り付けたままでユーザが引き出し式扉８を開け閉めしても滑り止め部材２９によって、ホルダ１０内で情報端末１００が動くことを防止できる。
【００３１】
また、下支持片１７には、水抜き孔２８が開口しているため、濡れた手などでユーザが情報端末１００を操作した後、その水が情報端末１００に付いても、水抜き孔２８から落下し、下支持片１７に水が溜まることがない。
【００３２】
また、ホルダ１０の第１取り付け部２０はスタンドになるため、ホルダ１０を引き出し式扉８から外してキッチン台などの平らな面に載置できる。また、この場合にスタンドとなる第１取り付け部２０に対し、ヒンジ２７で保持板１６が傾斜するため、キッチン台に置いても省スペースで閲覧と操作がし易い。
【実施形態２】
【００３３】
次に、実施形態２のホルダ１０について図８と図９に基づいて説明する。
【００３４】
実施形態１では、長方形状の保持板１６は、一定のサイズであったが、本実施形態では保持板１６を上保持板１６ａと下保持板１６ｂの上下に分け、上下にスライド可能としている。
【００３５】
これによって本実施形態では、縦方向のサイズがどのような情報端末１００であっても、上保持板１６ａと下保持板１６ｂをスライドさせて同じサイズにして確実に支持できる。
【００３６】
なお、保持板１６を左保持板と右保持板の左右に分け、左右にスライド可能としてもよい。この変更例であると、横方向のサイズがどのような情報端末１００であっても、左保持板と右保持板をスライドさせて同じサイズにしてを確実に支持できる。
【実施形態３】
【００３７】
次に、実施形態３の冷蔵庫１について図１０と図１１に基づいて説明する。
【００３８】
本実施形態と実施形態１の冷蔵庫１の異なる点は、引き出し式扉８の取っ手９における段部１１の縦面から前方に突起３０が突出している点にある。
【００３９】
本実施形態において、ホルダ１０を取っ手９に取り付ける場合には、図１０に示すように、引き出し式扉８の左側にホルダ１０を取り付け、取っ手９に沿って第１取り付け部２０を右側にスライドさせる。すると、第１取り付け部２０の上端部が突起３０の下方に位置して係合する。
【００４０】
これによって、図１１に示すように、第１取り付け部２０が突起３０によって上方に移動することなく、取っ手９に確実にホルダ１０を取り付けることができる。
【００４１】
また、ホルダ１０を取り付けたままで、ユーザが引き出し式扉８を開け閉めするときに、情報端末１００がホルダ１０内で動いてしまう可能性があるが、滑り止め部材２９と突起３０を設けているため、ホルダ１０内で情報端末１００が動くことを防止できる。
【実施形態４】
【００４２】
次に、実施形態４のホルダ１０について図１２に基づいて説明する。本実施形態のホルダ１０は、保持板１６の後面に充電池３１を有している。
【００４３】
情報端末１００は、通常持ち運んで利用するため充電器に接続されておらず、放電状態にある。そのため、冷蔵庫１の引き出し式扉８に設置したときに充電されることが望ましいが、冷蔵庫１に充電機構を設けると冷蔵庫１０の構造が複雑になる。そこで、本実施形態では、図１２に示すように保持板１６の後面に充電池３１を搭載している。
【００４４】
図７に示すようにキッチン台でスタンドとしてホルダ１０を利用する際に、充電池３１にＡＣアダプタを接続し、充電池３１を充電すると共に、充電池３１とホルダ１０とを接続コード３２で接続し、充電池３１と共に情報端末１００も充電する。
【００４５】
その後、冷蔵庫１の引き出し式扉８に設置してホルダ１０を利用するときには、図１２に示すように、充電池３１から情報端末１００に充電ができる。
【実施形態５】
【００４６】
次に、実施形態５のホルダ１０について図１３と図１４に基づいて説明する。
【００４７】
本実施形態では保持板１６に代えて４つの把持部３３，３４，３５，３６を有し、４つの把持部３３，３４，３５，３６は、長方形の角部に対応した位置にそれぞれ配されている。
【００４８】
左上の把持部３３はＬ字状に形成され、その角部の内側に情報端末１００を載置するための載置面３３１が形成されている。左下の把持部３４もＬ字状であり、その角部の内側に載置面３４１が形成されている。左上の把持部３３と左下の把持部３４とは、伸縮自在な左縦棒３７によって接続され、左上の把持部３３と左下の把持部３４との間隔を変更できる。
【００４９】
右上の把持部３５はＬ字状に形成され、その角部の内側に情報端末１００を載置するための載置面３５１が形成されている。右下の把持部３６もＬ字状であり、その角部の内側に載置面３６１が形成されている。右上の把持部３５と右下の把持部３６とは、伸縮自在な右縦棒３８によって接続され、右上の把持部３５と右下の把持部３６との間隔を変更できる。
【００５０】
左上の把持部３３と右上の把持部３５は、伸縮自在な横棒３９によって接続され、その間隔を変更できる。この横棒３９の後部には、実施形態１における回転部材１９が取り付けられている。
【００５１】
本実施形態のホルダ１０であると、図１３と図１４に示すように、取り付けたい情報端末１００のサイズに合わせて各把持部３３〜３６の縦と横の間隔を変更して、各載置面３３１〜３６１に載置する。これによって、どのようなサイズの情報端末１００であっても載置できる。
【００５２】
なお、この４つの把持部３３〜３６を可動させる構造は、本実施形態に限らず他の構造であってもよい。
【変更例】
【００５３】
上記実施形態では、保持板１６と第２取り付け部２１とを、回転部材１９を介して連結したが、第２取り付け部２１に保持板１６を直接取り付けてもよい。
【００５４】
また、取っ手９の構造は、上記実施形態の構造に限らず、手で把持するような構造であればどのような形態でもよく、ホルダー１０は、その取っ手を挟持する構造を有すればよい。
【００５５】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５６】
１・・・冷蔵庫、４・・・野菜室、８・・・引き出し式扉、９・・・取っ手、１０・・・ホルダ、１１・・・段部、１２・・・溝、１３・・・立設部、１４・・・取り付け部、１５・・・保持部、１６・・・保持板、１７・・・下支持片、１８・・・上支持片、１９・・・回転部材、２０・・・第１取り付け部、２１・・・第２取り付け部、２２・・・挟持部、２３・・・膨出部、２７・・・ヒンジ、２８・・・水抜き孔、２９・・・滑り止め部材、３０・・・突起、３１・・・充電池
【図１】
2016166689.tif 000003
【図２】
2016166689.tif 000004
【図３】
2016166689.tif 000005
【図４】
2016166689.tif 000006
【図５】
2016166689.tif 000007
【図６】
2016166689.tif 000008
【図７】
2016166689.tif 000009
【図８】
2016166689.tif 000010
【図９】
2016166689.tif 000011
【図１０】
2016166689.tif 000012
【図１１】
2016166689.tif 000013
【図１２】
2016166689.tif 000014
【図１３】
2016166689.tif 000015
【図１４】
2016166689.tif 000016